(57)【要約】【課題】電気光学装置において、高精細な画像を表示可能とする。【解決手段】電気光学装置は、基板（２８）上の画像表示領域（３）に設けられた複数の走査線（４０）及び複数のデータ線（５０）と、複数の画素部（２０）とを備えている。走査線及びデータ線が斜めに相交差する斜交領域に配置される第１画素部（２１ａ，２００ａ）は、第１画素部と電気的に接続される第１走査線（４０ａ）及び第１走査線と互いに隣り合う第２走査線（４０ｂ）、並びに第１画素部と電気的に接続される第１データ線（５０ａ）及び第１データ線と互いに隣り合う第２データ線（５０ｂ）の各々によって囲われた基準領域（Ａ１）に含まれる点（Ｐ）を基準として点対称となる位置に配置される第２画素部（２１ｄ，２００ｄ）が存在するように配置され、第２画素部は、第２走査線及び第２データ線に夫々電気的に接続されている。【選択図】図６
2010169867.tif 000002
【特許請求の範囲】
【請求項１】
基板と、
前記基板上の画像表示領域に、相交差するように設けられた複数の走査線及び複数のデータ線と、
前記画像表示領域に、前記複数の走査線及び前記複数のデータ線の交差に対応するように設けられた複数の画素部と
を備え、
前記複数の画素部のうち、前記複数の走査線及び前記複数のデータ線が斜めに相交差する斜交領域に配置される第１画素部は、前記複数の走査線のうち前記第１画素部と電気的に接続される第１走査線及び該第１走査線と互いに隣り合う第２走査線、並びに前記複数のデータ線のうち前記第１画素部と電気的に接続される第１データ線及び該第１データ線と互いに隣り合う第２データ線の各々によって囲われた基準領域に含まれる点を基準として点対称となる位置に配置される第２画素部が存在するように配置され、
前記第２画素部は、前記第２走査線及び前記第２データ線に夫々電気的に接続されている
ことを特徴とする電気光学装置。
【請求項２】
前記画像表示領域には、前記複数の走査線及び前記複数のデータ線が前記斜交領域とは異なる角度で相交差する他の領域が含まれていることを特徴とする請求項１に記載の電気光学装置。
【請求項３】
前記画像表示領域に表示する画像を示す画像データを書込み及び読出し可能な記憶手段と、
前記記憶部に対する前記画像データの書込み及び読出しを制御する画像配列変換手段と
を更に備え、
前記画像配列変換手段は、
前記複数の画素の並びに対応した第１の順序で並べられた前記画像データを前記記憶手段に書込む場合は、第１のアドレスを使用し、
前記走査線に沿った並びに対応した第２の順序で並べられた前記画像データを前記記憶手段に書込む場合は、前記第１のアドレスと異なる第２アドレスを使用し、
前記記憶手段に書込まれた前記画像データを読出す場合は、前記第２アドレスを使用する
ことを特徴とする請求項１又は２に記載の電気光学装置。
【請求項４】
請求項１から３のいずれか一項に記載の電気光学装置を備えることを特徴とする電子機器。
【請求項５】
請求項３に記載の電気光学装置に供給される前記画像データを変換するデータ変換方法であって、
前記第１の順序で並べられた前記画像データを前記第１のアドレスを使用して前記記憶手段に書込み、前記第２の順序で並べられた前記画像データを前記第２のアドレスを使用して前記記憶手段に書込む書込み工程と、
前記記憶手段に書込まれた前記画像データを、前記第２アドレスを使用して読出す読出し工程と
を含むことを特徴とするデータ変換方法。
【発明の詳細な説明】
【技術分野】
【０００１】
本発明は、例えば液晶装置や電気泳動表示装置等の電気光学装置、及び該電気光学装置を備えた電子機器、並びに電気光学装置に供給される画像データを変換するデータ変換方法の技術分野に関する。
【背景技術】
【０００２】
この種の電気光学装置として、例えば画像表示領域にマトリクス状に配置された複数の画素部を、相交差する走査線及びデータ線から供給される各種信号によって夫々制御することで、画像を表示させるものがある。画像表示領域は、典型的には矩形の領域であるが、より幅広い用途に対応するため、比較的複雑な形状の画像表示領域を有する装置も提案されている。
【０００３】
例えば特許文献１では、八角形の画像表示領域を有する電気光学装置についての技術が開示されている。また非特許文献１では、ハート型の画像表示領域を有する電気光学装置についての技術が開示されている。
【先行技術文献】
【特許文献】
【０００４】
【特許文献１】特開２００８−４６５９８号公報
【非特許文献】
【０００５】
【非特許文献１】Society for Information Display 2008-62.3:A Non-Rectangular Heart-Shaped SOG-LCD Yoshihiro Nonaka et al., NEC LCD Technologies, Ltd.
【発明の概要】
【発明が解決しようとする課題】
【０００６】
しかしながら、上述した複雑な形状の画像表示領域を有する電気光学装置では、走査線及びデータ線が斜めに相交差する領域が存在するため、画素部における配線や電極等のレイアウトが比較的複雑なものとなってしまう。これにより、例えば画素部を効率的に配置することができず、互いに隣り合う画素部間の間隔が大きくなってしまうおそれがある。画素部間の間隔が大きくなってしまうと、単位面積あたりの画素数が減少する。即ち、上述した技術には、高精細な画像を表示することが困難となってしまうという技術的問題点がある。
【０００７】
本発明は、例えば上述した問題点に鑑みなされたものであり、高精細な画像を表示することが可能な電気光学装置及び電子機器、並びにデータ変換方法を提供することを課題とする。
【課題を解決するための手段】
【０００８】
本発明の電気光学装置は上記課題を解決するために、基板と、前記基板上の画像表示領域に、相交差するように設けられた複数の走査線及び複数のデータ線と、前記画像表示領域に、前記複数の走査線及び前記複数のデータ線の交差に対応するように設けられた複数の画素部とを備え、前記複数の画素部のうち、前記複数の走査線及び前記複数のデータ線が斜めに相交差する斜交領域に配置される第１画素部は、前記複数の走査線のうち前記第１画素部と電気的に接続される第１走査線及び該第１走査線と互いに隣り合う第２走査線、並びに前記複数のデータ線のうち前記第１画素部と電気的に接続される第１データ線及び該第１データ線と互いに隣り合う第２データ線の各々によって囲われた基準領域に含まれる点を基準として点対称となる位置に配置される第２画素部が存在するように配置され、前記第２画素部は、前記第２走査線及び前記第２データ線に夫々電気的に接続されている。
【０００９】
本発明の電気光学装置によれば、その動作時には、先ず基板上の画像表示領域に設けられた複数の画素部に対して、複数の走査線から走査信号が供給されると共に、複数のデータ線からデータ信号が供給される。これにより各画素部が制御され、画像表示領域に様々な画像を表示することが可能となる。より具体的には、例えば複数の画素部が制御されることによって、基板及び該基板と対向する対向基板間に挟持された電気光学物質（例えば、電気泳動素子や液晶等）に対して、データ信号に応じた電圧が印加され、各画素において表示される色調が制御される。
【００１０】
複数の画素部は、典型的には、画像表示領域にマトリクス状に設けられており、例えばトランジスター、容量電極及び画素電極等として機能する複数の導電層が積層されることにより形成されている。即ち、ここでの「画素部」は、複数の走査線及び複数のデータ線の交差に対応するように、画素毎に設けられた各部材によって形成されている部位全体を包括する概念である。
【００１１】
本発明では、画像表示領域に含まれる斜交領域において、複数の走査線及び複数のデータ線が斜めに相交差している。即ち、斜交領域では、複数の走査線及び複数のデータ線が垂直とならないような角度で相交差している。このような斜交領域を有することにより、例えばマトリクス状に設けられた複数の画素電極のうち、互いに異なる行及び列に配置された画素電極を、同じ走査線又は同じデータ線によって制御することが可能となる。
【００１２】
ここで本発明では特に、斜交領域に設けられる第１画素部は、複数の走査線のうち第１画素部と電気的に接続される第１走査線及び第１走査線と互いに隣り合う第２走査線、並びに複数のデータ線のうち第１画素部と電気的に接続される第１データ線及び第１データ線と互いに隣り合う第２データ線の各々によって囲われた基準領域に含まれる点を基準として点対称となる位置に配置される第２画素部が存在するように配置され、第２画素部は、第２走査線及び第２データ線に夫々電気的に接続されている。
【００１３】
上述した配置は、第２画素部側から見ても同様であり、第２画素部は、基準領域に含まれる点を基準として点対称となる位置に配置される第１画素部が存在するように配置されている。即ち、第１画素及び第２画素は、各々が電気的に接続されている第１走査線及び第２走査線、並びに第１データ線及び第２データ線の４本の配線に囲われた基準領域に含まれる点を基準として、互いに点対称となるように配置されている。
【００１４】
複数の画素部が上述したように配置されることにより、極めて効率的に複数の画素部をレイアウトすることができる。具体的には、第１画素部及び第２画素部を、対称性のある配置とすることで、画素部をパターン化して配置することができる。即ち、マトリクス状に設けられた複数の画素に、斜めに相交差する走査線及びデータ線が電気的に接続される比較的複雑な構成を要求される場合であっても、画素部の各々を概ね同様の構造とすることができる。従って、配置スペースが増加してしまうことを低減することができる。
【００１５】
尚、典型的には、斜交領域に配置される全ての画素部が対称配置される画素部を有するものとされるが、画像表示領域の端部等においては、例外的に点対称となる画素部を有しない画素部が存在していてもよい。このように、部分的には対称性を有しないような場合であっても、本発明の効果は相応に得られる。
【００１６】
複数の画素部の配置スペースを小さくすることで、単位面積当たりの画素数を増加させることができる。よって、より高精細な画像を表示可能とすることができる。このような効果は、例えば装置の小型化を実現する際など、比較的狭いスペースに多くの部材を配置することが要求されるような場合に、極めて顕著に発揮される。
【００１７】
以上説明したように、本発明の電気光学装置によれば、斜交領域における複数の画素部の配置を効率的なものとすることができるため、高精細な画像を表示することが可能である。
【００１８】
本発明の電気光学装置の一態様では、前記画像表示領域には、前記複数の走査線及び前記複数のデータ線が前記斜交領域とは異なる角度で相交差する他の領域が含まれている。
【００１９】
この態様によれば、画像表示領域に、複数の走査線及び複数のデータ線が斜交領域とは異なる角度で相交差する他の領域が含まれているため、画素部のレイアウトが比較的複雑なものとなってしまう。具体的には、斜交領域と他の領域とで、走査線、データ線及び画素電極の互いの位置関係が変化するため、各画素でレイアウトが相異なるものとなってしまう。
【００２０】
これに対し本態様では、上述したように斜交領域における画素部の配置を効率的なものとすることができるため、配置スペースが増加してしまうことを低減することができる。従って、高精細な画像を表示することが可能である。
【００２１】
本発明の電気光学装置の他の態様では、前記画像表示領域に表示する画像を示す画像データを書込み及び読出し可能な記憶手段と、前記記憶部に対する前記画像データの書込み及び読出しを制御する画像配列変換手段とを更に備え、前記画像配列変換手段は、前記複数の画素の並びに対応した第１の順序で並べられた前記画像データを前記記憶手段に書込む場合は、第１のアドレスを使用し、前記走査線に沿った並びに対応した第２の順序で並べられた前記画像データを前記記憶手段に書込む場合は、前記第１のアドレスと異なる第２アドレスを使用し、前記記憶手段に書込まれた前記画像データを読出す場合は、前記第２アドレスを使用する。
【００２２】
この態様によれば、画像表示領域に表示する画像を示す画像データは、先ず記憶部に書込まれることで一時的に記憶された後、画像表示領域に読出される。この際、画像データの書込み及び読出しは、画像配列変換手段によって制御される。
【００２３】
画像配列変換手段では、複数の画素の並びに対応した第１の順序で並べられた画像データを記憶手段に書込む場合に、第１のアドレスが使用される。一方で、走査線に沿った並び（即ち、走査信号が供給される並び）に対応した第２の順序で並べられた画像データを記憶手段に書込む場合には、第１のアドレスと異なる第２アドレスが使用される。即ち、画像データが第１の順序及び第２の順序のいずれの順序で並んでいるかによって、相異なるアドレスを使用した書込みが行われる。また、記憶手段に書込まれた画像データを読出す場合には、第２アドレスが使用される。
【００２４】
上述した画像データの書込み及び読出しでは、走査線に沿った並びに対応するように並び替えられていない画像データ（即ち、第１の順序で並べられた画像データ）と、走査線に沿った並びに対応するように並び替えられた画像データ（即ち、第２の順序で並べられた画像データ）とが相異なる方法で記憶手段に書込まれた後、同様の方法で読出されることとなる。この際、第１アドレス及び第２アドレスに対応関係を持たせておけば、走査線に沿った並びに対応するように並び替えられていない画像データを、走査線に沿った並びに対応するように並び替えることができる。
【００２５】
本態様では、複数の走査線及び複数のデータ線が斜めに相交差しているため、複数の画素部の並びと走査線に沿った並びとが必ずしも一致しない。よって、仮に上述したような画像データの並び替えが行われなければ、意図すべき画像が正常に表示されないおそれがある。
【００２６】
しかるに本態様では、画像配列変換手段によって記憶手段に対する画像データの書込み及び読出しを制御することにより、画像データを走査線に沿った並びに好適に並び替えることが可能となる。従って、確実に正常な画像を表示することが可能である。
【００２７】
本発明の電子機器は上記課題を解決するために、上述した本発明の電気光学装置（但し、その各種態様も含む）を備える。
【００２８】
本発明の電子機器によれば、上述した本発明の電気光学装置を具備してなるので、高精細な画像を表示することが可能な、投射型表示装置、テレビ、携帯電話、電子手帳、ワードプロセッサー、ビューファインダー型又はモニター直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置等も実現することも可能である。
【００２９】
本発明のデータ変換方法は上記課題を解決するために、上述した本発明の他の態様の電気光学装置に供給される前記画像データを変換するデータ変換方法であって、前記第１の順序で並べられた前記画像データを前記第１のアドレスを使用して前記記憶手段に書込み、前記第２の順序で並べられた前記画像データを前記第２のアドレスを使用して前記記憶手段に書込む書込み工程と、前記記憶手段に書込まれた前記画像データを、前記第２アドレスを使用して読出す読出し工程とを含む。
【００３０】
本発明のデータ変換方法によれば、書込み工程及び読出し工程によって、走査線に沿った並びに対応するように並び替えられていない画像データを、走査線に沿った並びに対応するように並び替えることができる。従って、確実に正常な画像を表示することが可能である。
【００３１】
本発明の作用及び他の利得は次に説明する発明を実施するための最良の形態から明らかにされる。
【図面の簡単な説明】
【００３２】
【図１】実施形態に係る電気光学装置の全体構成を示す平面図である。
【図２】実施形態に係る電気泳動表示装置の表示部の部分断面図である。
【図３】マイクロカプセルの構成を示す模式図である。
【図４】実施形態に係る電気泳動表示装置における画素の電気的な構成を示す等価回路図である。
【図５】実施形態に係る電気光学装置の斜交領域における画素の配列を示す平面図（その１）である。
【図６】実施形態に係る電気光学装置の斜交領域における画素の配列を示す部分拡大図（その１）である。
【図７】比較例に係る電気光学装置の斜交領域における画素の配列を示す平面図である。
【図８】比較例に係る電気光学装置の斜交領域における画素の配列を示す部分拡大図である。
【図９】実施形態に係る電気光学装置の斜交領域における具体的な画素のレイアウトを示す平面図（その１）である。
【図１０】実施形態に係る電気光学装置の斜交領域における具体的な画素のレイアウトを示す平面図（その２）である。
【図１１】実施形態に係る電気光学装置の斜交領域における具体的な画素のレイアウトを示す平面図（その３）である。
【図１２】実施形態に係る電気光学装置の斜交領域における画素の配列を示す平面図（その２）である。
【図１３】実施形態に係る電気光学装置の斜交領域における画素の配列を示す部分拡大図（その２）である。
【図１４】変換前の画像データに基づく画像を示す平面図である。
【図１５】変換後の画像データに基づく画像を示す平面図である。
【図１６】実施形態に係る電気光学装置におけるデータ変換に関連する部位を詳細に示すブロック図である。
【図１７】電子ペーパーの構成を示す斜視図である。
【図１８】電子ノートの構成を示す斜視図である。
【発明を実施するための形態】
【００３３】
以下では、本発明の実施形態について図を参照しつつ説明する。
【００３４】
＜電気光学装置＞
本実施形態に係る電気光学装置について、図１から図１３を参照して説明する。
【００３５】
先ず、本実施形態に係る電気光学装置の全体構成について、図１を参照して説明する。尚、以下の実施形態では、本発明の電気光学装置の一例である電気泳動表示装置を例にとる。
【００３６】
図１は、本実施形態に係る電気光学装置の全体構成を示すブロック図である。
【００３７】
図１において、本実施形態に係る電気光学装置１は、表示部３と、コントローラー１０と、走査線駆動回路６０と、データ線駆動回路７０とを備えている。
【００３８】
表示部３は、本発明の「画像表示領域」の一例であり、八角形の領域として規定されている。表示部３には、ｍ本（但し、ｍは自然数）の走査線４０と、ｎ本（但し、ｎは自然数）のデータ線５０とが互いに交差するように設けられている。具体的には、走査線４０は、行方向（即ち、Ｘ方向）に延在し、データ線５０は、列方向（即ち、Ｙ方向）に延在している。但し、走査線４０は、表示部３における一部の領域（以下、適宜「斜交領域」と称する。）において、データ線５０と斜めに交わる方向（即ち、Ｄ方向）に延在している。尚、ここでの図示は省略しているが、表示部３には、ｍ本の走査線４０とｎ本のデータ線５０との交差に対応して、ｍ行×ｎ列分の画素がマトリクス状（二次元平面的）に配列されている。
【００３９】
例えば、矩形の表示部３を有する典型的な電気光学装置では、走査線４０及びデータ線５０は、表示部３全体において垂直に相交差するように構成されている。しかしながら、本実施形態のように比較的複雑な形状の表示部３を有する電気光学装置では、上述した走査線４０及びデータ線５０が斜めに相交差する斜交領域を含むように構成することで、画素レイアウトの自由度を高めることが可能である。
【００４０】
コントローラー１０は、走査線駆動回路６０、データ線駆動回路７０の動作を制御する。具体的には、コントローラー１０は、例えばクロック信号、スタートパルス等のタイミング信号を各回路に供給する。また、コントローラー１０には、各回路に電源電位を供給する電源供給回路等の他の回路も含まれている。コントローラー１０は、表示部３が設けられる基板上に設けられていてもよいし、他の基板上に設けられていてもよい。
【００４１】
走査線駆動回路６０は、コントローラー１０から供給されるタイミング信号に基づいて、走査線４０の各々に走査信号をパルス的に順次供給する。
【００４２】
データ線駆動回路７０は、コントローラー１０から供給されるタイミング信号に基づいて、データ線５０の各々に画像信号を供給する。画像信号は、高電位レベル（以下「ハイレベル」という。例えば５Ｖ）又は低電位レベル（以下「ローレベル」という。例えば０Ｖ）の２値的なレベルをとる。
【００４３】
尚、コントローラー１０、走査線駆動回路６０、データ線駆動回路７０には、上述しない各種の信号が入出力されるが、本実施形態と特に関係のないものについては説明を省略する。
【００４４】
次に、本実施形態に係る電気泳動表示装置の表示部の具体的な構成について、図２及び図３を参照して説明する。
【００４５】
図２は、本実施形態に係る電気泳動表示装置の表示部の部分断面図である。
【００４６】
図２において、表示部３は、素子基板２８と対向基板２９との間に電気泳動素子２３が挟持される構成となっている。尚、本実施形態では、対向基板２９側に画像を表示することを前提として説明する。
【００４７】
素子基板２８は、本発明の「基板」の一例であり、例えばガラスやプラスチック等からなる基板である。素子基板２８上には、ここでは図示を省略するが、後述する画素スイッチング用トランジスター２４、メモリー回路２５、走査線４０、データ線５０、高電位電源線９１、低電位電源線９２、共通電位線９３等が作り込まれた積層構造が形成されている（図４参照）。この積層構造の上層側に、複数の画素電極２１が、画素２０毎にマトリクス状に設けられている。
【００４８】
対向基板２９は、例えばガラスやプラスチック等からなる透明な基板である。対向基板２９における素子基板２８との対向面上には、共通電極２２が複数の画素電極９ａと対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００４９】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示装置１は、製造プロセスにおいて、電気泳動素子２３が予め対向基板２９側にバインダー３０によって固定されてなる電気泳動シートが、別途製造された画素電極２１等の形成された素子基板２８側に、接着層３１によって接着されている。
【００５０】
マイクロカプセル８０は、画素電極２１及び共通電極２２間に挟持され、１つの画素２０内に（言い換えれば、１つの画素電極２１に対して）１つ又は複数配置されている。
【００５１】
図３は、マイクロカプセルの構成を示す模式図である。尚、図３では、マイクロカプセルの断面を模式的に示している。
【００５２】
図３において、マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００５３】
被膜８５は、マイクロカプセル８０の外殻として機能し、ポリメタクリル酸メチル、ポリメタクリル酸エチル等のアクリル樹脂、ユリア樹脂、アラビアガム等の透光性を有する高分子樹脂から形成されている。
【００５４】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００５５】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００５６】
黒色粒子８３は、例えば、アニリンブラック、カーボンブラック等の黒色顔料からなる粒子（高分子或いはコロイド）であり、例えば正に帯電されている。
【００５７】
このため、白色粒子８２及び黒色粒子８３は、画素電極２１と共通電極２２との間の電位差によって発生する電場によって、分散媒８１中を移動することができる。
【００５８】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００５９】
図２及び図３において、画素電極２１と共通電極２２との間に、相対的に共通電極２２の電位が高くなるように電圧が印加された場合には、正に帯電された黒色粒子８３はクーロン力によってマイクロカプセル８０内で画素電極２１側に引き寄せられると共に、負に帯電された白色粒子８２はクーロン力によってマイクロカプセル８０内で共通電極２２側に引き寄せられる。この結果、マイクロカプセル８０内の表示面側（即ち、共通電極２２側）に白色粒子８２が集まることで、表示部３の表示面にこの白色粒子８２の色（即ち、白色）を表示することができる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、マイクロカプセル８０の表示面側に黒色粒子８３が集まることで、表示部３の表示面にこの黒色粒子８３の色（即ち、黒色）を表示することができる。
【００６０】
更に、画素電極２１及び共通電極２２間における白色粒子８２及び黒色粒子８３の分布状態によって、白色と黒色との中間階調である、ライトグレー、グレー、ダークグレー等の灰色を表示することができる。例えば、画素電極２１と共通電極２２との間に相対的に画素電極２１の電位が高くなるように電圧を印加することで、マイクロカプセル８０の表示面側に黒色粒子８３を集めると共に画素電極２１側に白色粒子８２を集めた後に、表示すべき中間階調に応じた所定期間だけ、画素電極２１と共通電極２２との間に相対的に共通電極２２の電位が高くなるように電圧を印加することで、マイクロカプセル８０の表示面側に白色粒子８２を所定量だけ移動させると共に画素電極２１側に黒色粒子８３を所定量だけ移動させる。この結果、表示部３の表示面に白色と黒色との中間階調である灰色を表示することができる。
【００６１】
尚、白色粒子８２、黒色粒子８３に用いる顔料を、例えば赤色、緑色、青色等の顔料に代えることによって、赤色、緑色、青色等を表示することができる。
【００６２】
次に、本実施形態に係る電気泳動表示装置の画素部の具体的な回路構成について、図４を参照して説明する。
【００６３】
図４は、第１実施形態に係る電気泳動表示装置における画素の電気的な構成を示す等価回路図である。
【００６４】
図４において、画素２０は、画素スイッチング用トランジスター２４と、メモリー回路２５と、画素電極２１と、共通電極２２と、電気泳動素子２３とを備えている。
【００６５】
画素スイッチング用トランジスター２４は、Ｎ型トランジスターで構成されている。画素スイッチング用トランジスター２４は、そのゲートが走査線４０に電気的に接続されており、そのソースがデータ線５０に電気的に接続されており、そのドレインがメモリー回路２５の入力端子Ｎ１に電気的に接続されている。画素スイッチング用トランジスター２４は、データ線駆動回路７０（図１参照）からデータ線５０を介して供給される画像信号を、走査線駆動回路６０（図１参照）から走査線４０を介してパルス的に供給される走査信号に応じたタイミングで、メモリー回路２５の入力端子Ｎ１に出力する。
【００６６】
メモリー回路２５は、インバーター回路２５ａ及び２５ｂを有しており、ＳＲＡＭとして構成されている。
【００６７】
インバーター回路２５ａ及び２５ｂは、互いの入力端子に他方の出力端子が電気的に接続されたループ構造を有している。即ち、インバーター回路２５ａの入力端子とインバーター回路２５ｂの出力端子とが互いに電気的に接続され、インバーター回路２５ｂの入力端子とインバーター回路２５ａの出力端子とが互いに電気的に接続されている。インバーター回路２５ａの入力端子が、メモリー回路２５の入力端子Ｎ１として構成されており、インバーター回路２５ａの出力端子が、メモリー回路２５の出力端子Ｎ２として構成されている。
【００６８】
インバーター回路２５ａは、Ｎ型トランジスター２５ａ１及びＰ型トランジスター２５ａ２を有している。Ｎ型トランジスター２５ａ１及びＰ型トランジスター２５ａ２のゲートは、メモリー回路２５の入力端子Ｎ１に電気的に接続されている。Ｎ型トランジスター２５ａ１のソースは、低電位電源電位Ｖｓｓが供給される低電位電源線９２に電気的に接続されている。Ｐ型トランジスター２５ａ２のソースは、高電位電源電位ＶＥＰが供給される高電位電源線９１に電気的に接続されている。Ｎ型トランジスター２５ａ１及びＰ型トランジスター２５ａ２のドレインは、メモリー回路２５の出力端子Ｎ２に電気的に接続されている。
【００６９】
インバーター回路２５ｂは、Ｎ型トランジスター２５ｂ１及びＰ型トランジスター２５ｂ２を有している。Ｎ型トランジスター２５ｂ１及びＰ型トランジスター２５ｂ２のゲートは、メモリー回路２５の出力端子Ｎ２に電気的に接続されている。Ｎ型トランジスター２５ｂ１のソースは、低電位電源電位Ｖｓｓが供給される低電位電源線９２に電気的に接続されている。Ｐ型トランジスター２５ｂ２のソースは、高電位電源電位ＶＥＰが供給される高電位電源線９１に電気的に接続されている。Ｎ型トランジスター２５ｂ１及びＰ型トランジスター２５ｂ２のドレインは、メモリー回路２５の入力端子Ｎ１に電気的に接続されている。
【００７０】
メモリー回路２５は、その入力端子Ｎ１にハイレベルの画像信号が入力されると、その出力端子Ｎ２から低電位電源電位Ｖｓｓを出力し、その入力端子Ｎ１にローレベルの画像信号が入力されると、その出力端子Ｎ２から高電位電源電位ＶＥＰを出力する。即ち、メモリー回路２５は、入力された画像信号がハイレベルであるかローレベルであるかに応じて、低電位電源電位Ｖｓｓ又は高電位電源電位ＶＥＰを出力する。言い換えれば、メモリー回路２５は、入力された画像信号を、低電位電源電位Ｖｓｓ又は高電位電源電位ＶＥＰとして記憶可能に構成されている。
【００７１】
高電位電源線９１及び低電位電源線９２は、電源回路２１０からそれぞれ高電位電源電位ＶＥＰ及び低電位電源電位Ｖｓｓが供給可能に構成されている。高電位電源線９１及び低電位電源線９２は夫々、図示しないスイッチを介して電源回路に電気的に接続されており、各スイッチがオン状態とされることで、高電位電源線９１及び低電位電源線９２と電源回路とが電気的に接続され、各スイッチがオフ状態とされることで、高電位電源線９１及び低電位電源線９２は電気的に切断されたハイインピーダンス状態とされる。
【００７２】
複数の画素２０の各々における画素電極２１には、上述した高電位電源線９１及び低電位電源線９２から供給される高電位電源電位ＶＥＰ及び低電位電源電位Ｖｓｓが、メモリー回路２５を介して供給される。画素電極２１は、電気泳動素子２３を介して共通電極２２と互いに対向するように配置されている。
【００７３】
共通電極２２は、共通電位Ｖｃｏｍが供給される共通電位線９３に電気的に接続されている。共通電位線９３は、図示しないスイッチを介して共通電位供給回路に電気的に接続されており、スイッチがオン状態とされることで、共通電位線９３と共通電位供給回路２２０とが電気的に接続され、スイッチがオフ状態とされることで、共通電位線９３は電気的に切断されたハイインピーダンス状態とされる。
【００７４】
電気泳動素子２３は、上述したように、電気泳動粒子８２及び８３をそれぞれ含んでなる複数のマイクロカプセル８０から構成されている。
【００７５】
次に、本実施形態に係る電気光学装置における各画素２０のレイアウトについて、図５及び図６を参照して詳細に説明する。
【００７６】
図５は、本実施形態に係る電気光学装置の斜交領域における画素の配列を示す平面図（その１）である。
【００７７】
図５において、本実施形態に係る電気光学装置では、互いに隣り合う２本の走査線４０及び互いに隣り合う２本のデータ線５０を基準として、対称性を有するように画素２０が配置されている。尚、ここでは説明の便宜上、画素２０を構成する部材のうち、画素電極を除く他の回路（例えば、画素スイッチング用トランジスター２４やメモリー回路２５等）を、画素回路２００として簡略化して図示している。画素回路２００として図示される平行四辺形の領域は、画素回路２００に含まれる回路が配置されることによって使用されるスペースを表している。
【００７８】
図６は、本実施形態に係る電気光学装置の斜交領域における画素の配列を示す部分拡大図（その１）である。
【００７９】
図６において、第１走査線４０ａ及び第１データ線５０ａの各々に電気的に接続される画素２０ａは、第１走査線４０ａ及び第２走査線４０ｂ、並びに第１データ線５０ａ及び第２データ線５０ｂに囲われる基準領域Ａ１に含まれる点Ｐを基準として点対称に配置される画素２０ｄが存在するように配置されている。画素２０ｄは、第２走査線４０ｂ及び第２データ線５０ｂの各々に電気的に接続されている。即ち、画素２０ａを、本発明の「第１画素」の一例として見た場合、画素２０ｄが、本発明の「第２画素」となる。
【００８０】
更に、第２走査線４０ｂ及び第１データ線５０ａの各々に電気的に接続される画素２０ｂは、基準領域Ａ１に含まれる点Ｐを基準として点対称に配置される画素２０ｃが存在するように配置されている。画素２０ｃは、第１走査線４０ａ及び第２データ線５０ｂの各々に電気的に接続されている。即ち、画素２０ｂを、本発明の「第１画素」の一例として見た場合、画素２０ｃが、本発明の「第２画素」となる。
【００８１】
本実施形態に係る電気光学装置の斜交領域に配置される画素２０は、上述した４つの画素２０ａ、２０ｂ、２０ｃ及び２０ｄのいずれかに分類できる。ここで特に、対称性を有する画素である画素２０ａ及び画素２０ｄは、１８０度回転されているだけで、レイアウトに殆ど或いは全く差がない。同様に、対称性を有する画素２０ｂ及び画素２０ｃは、レイアウトに殆ど或いは全く差がない。よって、本実施形態に係る画素２０は、パターン化して比較的容易にレイアウトすることができる。即ち、極めて効率的なレイアウトが可能となる。
【００８２】
次に、比較例に係る電気光学装置における各画素２０のレイアウトについて、図７及び図８を参照して詳細に説明する。
【００８３】
図７は、比較例に係る電気光学装置の斜交領域における画素の配列を示す平面図（その１）である。
【００８４】
図７において、比較例に係る電気光学装置では、画素２０を構成する画素電極２１及び画素回路２００が、１列毎に階段状に配置されている。即ち、図５で示した本実施形態に係る電気光学装置では、画素２０が、走査線４０に対して２行２列ずつずれていくように配置されているのに対し、比較例に係る電気光学装置では、画素２０が、走査線４０に対して１行１列ずつずれていくように配置されている。
【００８５】
図８は、比較例に係る電気光学装置の斜交領域における画素の配列を示す部分拡大図である。
【００８６】
図８において、比較例に係る電気光学装置の各画素２０には、基準領域Ａ１に含まれる点Ｐを基準として点対称に配置される画素２０が存在しない。具体的には、基準領域Ａ１の周囲に配置される４つの画素２０ａ、２０ｂ、２０ｃ及び２０ｄのいずれも、点Ｐを基準として互いに点対称に配置されていない。よって、この４つの画素２０ａ、２０ｂ、２０ｃ及び２０ｄは、夫々相異なるレイアウトとなってしまう。よって、本実施形態に係る電気光学装置における画素２０が２種類のレイアウトで実現できるのに対し、比較例に係る電気光学装置における画素２０は４種類のレイアウトでなければ実現できない。このことからも分かるように、本実施形態に係る電気光学装置は、極めて効率的な画素２０のレイアウトを実現する効果を有している。
【００８７】
画素２０のレイアウトを効率的なものとすることで、画素２０一つあたりの配置スペースを小さくすることができる。これにより、単位面積当たりの画素数を増加させることができる。よって、より高精細な画像を表示可能とすることが可能となる。このような効果は、例えば装置の小型化を実現する際など、比較的狭いスペースに多くの部材を配置することが要求されるような場合に、極めて顕著に発揮される。
【００８８】
次に、本実施形態に係る電気光学装置における、具体的な画素２０のレイアウトについて、図９から図１１を参照して説明する。
【００８９】
図９は、本実施形態に係る電気光学装置の斜交領域における具体的な画素のレイアウトを示す平面図（その１）である。図１０は、本実施形態に係る電気光学装置の斜交領域における具体的な画素のレイアウトを示す平面図（その２）である。図１１は、本実施形態に係る電気光学装置の斜交領域における具体的な画素のレイアウトを示す平面図（その３）である。尚、図１０は、図９から画素電極及９ａ及びデータ線５０に係る層を取り除いた図であり、図１１は、図９から画素電極及９ａ及びデータ線５０に係る層を取り除いた図である。
【００９０】
図４に示した画素２０を構成する各要素は、具体的には、図９から図１１に示すようにレイアウトすることができる。尚、ここでは、図４に示した画素２０を構成する各要素以外の要素については、符号を省略している。
【００９１】
図９から図１１に示すレイアウトを用いれば、図５及び図６において示したような、点Ｐを中心として点対称となるような２つの画素２０を有する画素配列を実現することができる。具体的には、例えば画素スイッチング用トランジスター２４やメモリー回路２５を構成するトランジスター等の各素子も、点Ｐを中心として点対称に配置することができる。この場合、画素スイッチング用トランジスター２４から画素電極９ａまでの経路（即ち、配線）の長さのばらつきを低減することが可能である。
【００９２】
本願発明者の研究によれば、図９から図１１に示すような対称性を有するレイアウトを行わない場合に、画素ピッチ（即ち、互いに隣り合う画素２０の間隔）が６０μｍである装置に対して、図９から図１１に示すレイアウトを適用することで、画素ピッチを５７μｍにまで縮小できることが判明している。即ち、上述したレイアウトは、画素ピッチを少なくとも５％小さくできるという効果を有している。これは、１つの装置に数百万或いはそれ以上の単位で画素２０が配置されることからすれば、極めて高い効果を有しているといえる。
【００９３】
次に、本実施形態に係る電気光学装置の変形例について、図１２及び図１３を参照して説明する。尚、以下にしめす変形例は、上述した本実施形態に係る電気光学装置と比べて、走査線４０及びデータ線５０の交わる角度が異なっており、その他の構成については概ね同様である。このため、以下では上述した本実施形態に係る電気光学装置と重複する部分については、適宜説明を省略する。
【００９４】
図１２は、本実施形態に係る電気光学装置の斜交領域における画素の配列を示す平面図（その２）である。
【００９５】
図５に示す電気光学装置では、一本の走査線４０に対して、画素２０が１列ごとに１行ずつずれるような構成となっている。これに対し、図１２に示す電気光学装置では、画素２０が２列ごとに１行ずつずれるような構成となっている。このような場合であっても、画素２０が対称性を有するように配置することは可能である。
【００９６】
図１３は、本実施形態に係る電気光学装置の斜交領域における画素の配列を示す部分拡大図（その２）である。
【００９７】
図１３において、第１走査線４０ａ及び第１データ線５０ａの各々に電気的に接続される画素２０ａは、第１走査線４０ａ及び第２走査線４０ｂ、並びに第１データ線５０ａ及び第２データ線５０ｂに囲われる基準領域Ａ１に含まれる点Ｐを基準として点対称に配置される画素２０ｄが存在するように配置されている。画素２０ｄは、第２走査線４０ｂ及び第２データ線５０ｂの各々に電気的に接続されている。即ち、画素２０ａを、本発明の「第１画素」の一例として見た場合、画素２０ｄが、本発明の「第２画素」となる。
【００９８】
更に、第２走査線４０ｂ及び第１データ線５０ａの各々に電気的に接続される画素２０ｂは、基準領域Ａ１に含まれる点Ｐを基準として点対称に配置される画素２０ｃが存在するように配置されている。画素２０ｃは、第１走査線４０ａ及び第２データ線５０ｂの各々に電気的に接続されている。即ち、画素２０ｂを、本発明の「第１画素」の一例として見た場合、画素２０ｃが、本発明の「第２画素」となる。
【００９９】
上述したように各画素２０を配置することで、画素２０ａ及び画素２０ｂ、並びに画素２０ｃ及び画素２０ｄのレイアウトを、殆ど或いは全く差が無いものとすることができる。よって、図１２に示す電気光学装置においても、図５に示す電気光学装置と同様に、極めて効率的に画素２０をレイアウトすることが可能である。即ち、走査線４０及びデータ線５０が斜めに相交差する斜交領域を有する電気光学装置であれば、走査線４０及びデータ線５０が相交差する角度によらず、上述した効果を得ることができる。
【０１００】
尚、本実施形態では表示部３が八角形である場合を例にとり説明したが、本実施形態に係る効果は、表示部３の形状によらず得られる。また、本実施形態では、各画素２０に５つのトランジスターが設けられる場合（所謂、５Ｔ回路）を例にとり説明したが、基本的には画素２０を構成する回路が複雑である程（言い換えれば、画素レイアウトに余裕が無い程）、本実施形態に係る効果は顕著に得られる。よって、例えば図４で示す画素２０にスイッチ回路が加えられるような場合には、より高い効果を得ることができる。但し、図４に示す画素２０より簡単な構成の画素２０である場合にも、相応に効果を得ることができる。
【０１０１】
以上説明したように、本実施形態に係る電気光学装置によれば、斜交領域における画素２０の配置を効率的なものとすることができるため、高精細な画像を表示することが可能である。
【０１０２】
＜データ変換方法＞
次に、本実施形態に係る電気光学装置におけるデータ変換方法について、図１４から図１６を参照して説明する。
【０１０３】
図１４は、変換前の画像データに基づく画像を示す平面図である。尚、図１４及び続く図１５では、説明の便宜上、斜交領域に係る画像データとそれ以外の領域に係る画像データとを相異なる色調で図示している。
【０１０４】
図１４において、八角形の表示部３の全面に画像を表示させる場合は、図に示すような画像データが供給されることとなる。しかしながら、上述したような走査線４０及びデータ線５０が斜めに相交差する電気光学装置においては、走査線４０と画素２０の行とが対応していないため、図１４に示す画像データでは、正確な画像を表示させることはできない。具体的には、斜交領域に表示される画像は、走査線４０と画素２０とのずれに応じて、ずれた状態で表示される。
【０１０５】
図１５は、変換後の画像データに基づく画像を示す平面図である。
【０１０６】
図１５において、走査線４０及びデータ線５０が斜めに相交差する電気光学装置において正常な画像を表示させるためには、図に示すような画像データを供給すればよい。即ち、走査線４０と画素２０とのずれに応じて、予め画像データの配列をずらしておけばよい。以下では、このような画像データの変換について、電気光学装置のより詳細な構成と共に説明する。
【０１０７】
図１６は、実施形態に係る電気光学装置におけるデータ変換に関連する部位を詳細に示すブロック図である。
【０１０８】
図１６において、本実施形態に係るデータ変換方法を実現する電気光学装置は、表示部３、走査線駆動回路６０及びデータ線駆動回路７０に加えて、タイミングジェネレーター１１０と、第１アドレス出力部１２０と、第２アドレス出力部１３０と、書込部１４０と、記憶部１５０と、読出部１６０とを備えて構成されている。尚、上述したタイミングジェネレーター１１０、第１アドレス出力部１２０、第２アドレス出力部１３０、書込部１４０、記憶部１５０及び読出部１６０は、典型的には、コントローラー１０（図１参照）に含まれている。
【０１０９】
タイミングジェネレーター１１０は、走査線駆動回路６０及びデータ線駆動回路７０、並びに第１アドレス出力部１２０及び第２アドレス出力部１３０に対して、スタートパルスやタイミングパルス等のタイミング信号を出力する回路である。
【０１１０】
第１アドレス出力部１２０及び第２アドレス出力部１３０は、タイミングジェネレーター１１０から供給されるタイミング信号に応じて、書込部１４０及び読出部１６０の各々に、第１アドレス及び第２アドレスを夫々出力する。
【０１１１】
書込部１４０は、外部から供給される画像データを記憶部１５０に書込む。画像データを書込む際には、第１アドレス出力部１２０及び第２アドレス出力部１３０から出力される第１アドレス及び第２アドレスのいずれかが用いられる。
【０１１２】
記憶部１５０は、本発明の「記憶手段」の一例であり、画像データの書込み及び読出しを繰り返して行うことが可能とされている。
【０１１３】
読出部１６０は、記憶部１５０に記憶されている画像データを読出す。画像データを読出す際には、第２アドレス出力部１３０から出力される第２アドレスが用いられる。
【０１１４】
尚、タイミングジェネレーター１１０、第１アドレス出力部１２０、第２アドレス出力部１３０、書込部１４０及び読出部１６０は、本発明の「画像配列変換手段」の一例である。
【０１１５】
本実施形態に係るデータ変換方法による画像データの変換は、上述した記憶部１５０に、第１アドレス及び第２アドレスの相異なる２つのアドレスを用いて画像データを書込み、読出すことによって行われる。具体的には、図１４に示すような変換前の画像データを記憶部１５０に書込む際には、第１アドレスを用いて書込みを行う。そして、その記憶した画像データを読出す際には、書込む際に用いた第１アドレスとは異なる第２アドレスを用いる。ここで、電気光学装置における走査線４０と画素２０とのずれに基づいて第１アドレス及び第２アドレスを設定しておけば、第１アドレス及び第２アドレスの対応関係を利用して、画像データを変換することができる。即ち、図１５に示すような画像データを読出すことが可能となる。
【０１１６】
また、既に変換された画像データ（即ち、図１５に示すデータ）が外部から入力された場合には、書込む際に第２アドレスを用いて、読出す際にも第２アドレスを用いればよい。このようにすれば、既に変換された画像データに対しては変換処理が行われず、正確に画像を表示することが可能となる。
【０１１７】
以上説明したように、本実施形態に係るデータ変換方法によれば、走査線４０に沿った並びに対応するように並び替えられていない画像データを、走査線４０に沿った並びに対応するように並び替えることができる。従って、上述した電気光学装置において、確実に正常な画像を表示することが可能である。
【０１１８】
＜電子機器＞
次に、上述した電気光学装置を適用した電子機器について、図１７及び図１８を参照して説明する。以下では、上述した電気光学装置を電子ペーパー及び電子ノートに適用した場合を例にとる。
【０１１９】
図１７は、電子ペーパー１４００の構成を示す斜視図である。
【０１２０】
図１７に示すように、電子ペーパー１４００は、上述した実施形態に係る電気光学装置を画像表示部１４０１として備えている。電子ペーパー１４００は可撓性を有し、従来の紙と同様の質感及び柔軟性を有する書き換え可能なシートからなる本体１４０２を備えて構成されている。
【０１２１】
図１８は、電子ノート１５００の構成を示す斜視図である。
【０１２２】
図１８に示すように、電子ノート１５００は、図１６で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１２３】
上述した電子ペーパー１４００及び電子ノート１５００は、上述した実施形態に係る電気光学装置を備えるので、高精細な画像を表示することが可能である。
【０１２４】
尚、これらの他に、腕時計、携帯電話、携帯用オーディオ機器などの電子機器の表示部に、上述した本実施形態に係る電気泳動表示装置を適用することができる。
【０１２５】
また、本実施形態係る電気泳動表示装置は、液晶装置や有機ＥＬ（Electro-Luminescence）ディスプレイ等に応用することも可能である。
【０１２６】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えた電子機器、並びにデータ変換方法もまた本発明の技術的範囲に含まれるものである。
【符号の説明】
【０１２７】
３…表示部、１０…コントローラー、２０…画素、２１…画素電極、２２…共通電極、２３…電気泳動素子、２４…画素スイッチング用トランジスター、２５…メモリー回路、２８…素子基板、２９…対向基板、４０…走査線、５０…データ線、６０…走査線駆動回路、８０…マイクロカプセル、８２…白色粒子、８３…黒色粒子、９１…高電位電源線、９２…低電位電源線、９３…共通電位線、１１０…タイミングジェネレーター、１２０…第１アドレス出力部、１３０…第２アドレス出力部、１４０…書込部、１５０…記憶部、１６０…読出部、２００…画素回路
【図１】
2010169867.tif 000003
【図２】
2010169867.tif 000004
【図３】
2010169867.tif 000005
【図４】
2010169867.tif 000006
【図５】
2010169867.tif 000007
【図６】
2010169867.tif 000008
【図７】
2010169867.tif 000009
【図８】
2010169867.tif 000010
【図９】
2010169867.tif 000011
【図１０】
2010169867.tif 000012
【図１１】
2010169867.tif 000013
【図１２】
2010169867.tif 000014
【図１３】
2010169867.tif 000015
【図１４】
2010169867.tif 000016
【図１５】
2010169867.tif 000017
【図１６】
2010169867.tif 000018
【図１７】
2010169867.tif 000019
【図１８】
2010169867.tif 000020